(57)【特許請求の範囲】
【請求項１】
アームを取り付ける支柱枠組であって、上開口部と下開口部とを有する柱状の配置空間を形成した支柱枠組において、
前記上開口部の開口面積が前記下開口部の開口面積より大きく、
前記上開口部から前記下開口部に渡って配置された複数の主支柱を備え、
前記主支柱の下端は、前記配置空間の内側に向かって突出した主取付部であって、前記下開口部の開口面積を前記上開口部の開口面積よりも狭くする主取付部を有する支柱枠組。
【請求項２】
配置空間は四角柱であり、
前記主支柱は、直交する２枚の支柱板を有し、
前記主支柱は、配置空間のコーナに配置された請求項１記載の支柱枠組。
【請求項３】
前記支柱板の上端部は、ネジ穴を有する請求項２記載の支柱枠組。
【請求項４】
請求項１から３いずれか１項に記載の支柱枠組と、
前記主取付部に固定されている光源ユニットと
を備えた照明器具。
【請求項５】
請求項２に記載の支柱枠組と、
前記支柱板の内面に接して前記主取付部に固定されている光源ユニットと
を備えた照明器具。
【請求項６】
請求項３に記載の支柱枠組と、
前記主取付部に固定された光源ユニットと、
前記主支柱の前記ネジ穴に固定された天板と、
前記天板と対向する対向部と、前記対向部の両端から前記天板の方向に突設する突設部とを有するアームであって、前記支柱枠組を吊り下げるアームと
を備えた照明器具。
【請求項７】
請求項１から６いずれか１項に記載の支柱枠組に対して、
光源ユニットを前記上開口部から前記下開口部に向かって挿入して、
前記光源ユニットを前記下開口部に固定する照明器具の製造方法。
【請求項８】
前記光源ユニットを前記下開口部に固定してから、天板を前記上開口部に固定し、
その後、中間支柱を前記光源ユニットと前記天板とに固定する請求項７記載の照明器具の製造方法。
【請求項９】
アームを取り付ける支柱枠組であって、上開口部と下開口部とを有する柱状の配置空間を形成した支柱枠組であって、
前記上開口部の開口面積が前記下開口部の開口面積より大きく、
前記上開口部から前記下開口部に渡って配置された複数の主支柱を備え、
前記主支柱の下端は、前記配置空間の内側に向かって突出した主取付部を有し、
配置空間は四角柱であり、
前記主支柱は、直交する２枚の支柱板を有し、
前記主支柱は、配置空間のコーナに配置され、
前記支柱板の上端部は、ネジ穴を有する支柱枠組と、
前記主取付部に固定された光源ユニットと、
前記主支柱の前記ネジ穴に固定された天板と、
前記天板と対向する対向部と、前記対向部の両端から前記天板の方向に突設する突設部とを有するアームであって、前記支柱枠組を吊り下げるアームと
を備えた照明器具。
【請求項１０】
アームを取り付ける支柱枠組であって、上開口部と下開口部とを有する柱状の配置空間を形成した支柱枠組であって、前記上開口部の開口面積が前記下開口部の開口面積より大きい支柱枠組に対して、
光源ユニットを前記上開口部から前記下開口部に向かって挿入して、
前記光源ユニットを前記下開口部に固定し、
前記光源ユニットを前記下開口部に固定してから、天板を前記上開口部に固定し、
その後、中間支柱を前記光源ユニットと前記天板とに固定する照明器具の製造方法。
【発明の詳細な説明】
【技術分野】
【０００１】
本発明は、光源ユニットを収納する支柱枠組、その支柱枠組を用いた照明器具、及び、これらの製造方法に関するものである。
【背景技術】
【０００２】
天井又は梁に取り付けられる照明器具あるいは高天井から吊り下げられる照明器具がある。
また、照明器具の本体内部の発熱部品に対して通気を可能にして効率よく放熱させる照明器具がある（特許文献１・図１参照）。
【先行技術文献】
【特許文献】
【０００３】
【特許文献１】特開２０１０−８０２４４号公報
【特許文献２】特開２０１４−０２６８０３号公報
【特許文献３】特開２０１４−００２９１６号公報
【特許文献４】特開２０１３−１８２７７７号公報
【発明の概要】
【発明が解決しようとする課題】
【０００４】
本発明の実施の形態では、照明器具の放熱効率向上、又は、照明器具の組立性向上が図れる構造を提供したい。
【課題を解決するための手段】
【０００５】
本発明の支柱枠組は、上開口部と下開口部とを有する柱状の配置空間を形成した支柱枠組において、上開口部の開口面積が下開口部の開口面積より大きい。
【発明の効果】
【０００６】
この発明によれば、上開口部の開口面積は下開口部の開口面積より大きいので、支柱枠組の内部への部品の配置が容易になる。
【図面の簡単な説明】
【０００７】
【図１】実施の形態１の照明器具１００の斜視図である。
【図２】実施の形態１の照明器具１００の正面図である。
【図３】実施の形態１の照明器具１００の左側面図である。
【図４】実施の形態１の照明器具１００の底面図である。
【図５】実施の形態１の照明器具１００の平面図である。
【図６】実施の形態１の照明器具１００の正面図の中央断面図である。
【図７】実施の形態１の照明器具１００の分解斜視図である。
【図８】実施の形態１の光源ユニット８０、カバー９０、及び、支柱枠組５０の斜視図である。
【図９】実施の形態１のヒートシンク８２の斜視図である。
【図１０】実施の形態２の正四角柱の照明器具１００の斜視図である。
【図１１】実施の形態２の正四角柱の照明器具１００の４面図と断面図である。
【図１２】実施の形態２の正四角柱の照明器具１００の分解斜視図である。
【図１３】実施の形態２の２個の光源ユニットを有する照明器具１００の斜視図である。
【図１４】実施の形態２の２個の光源ユニットを有する照明器具１００の４面図と断面図である。
【図１５】実施の形態２の２個の光源ユニットを有する照明器具１００の斜視図である。
【図１６】実施の形態２の２個の光源ユニットを有する照明器具１００の４面図と断面図である。
【図１７】実施の形態３の支柱枠組５０の平面概略図である。
【図１８】実施の形態３の主支柱５３の斜視図である。
【発明を実施するための形態】
【０００８】
実施の形態１．
以下に説明する各図において、Ｚは上下方向を示す。
Ｘは、左右方向すなわち横方向を示す。
Ｙは、前後方向すなわち奥行き方向を示す。
Ｘ、Ｙ、Ｚは、直交しており、Ｘ、Ｙは水平方向であり、Ｚは垂直方向である。
また、以下において、「ネジ止め」という場合には、ネジがねじ込まれるネジ穴がネジ止めされる複数の部品にそれぞれ存在するものとする。
【０００９】
＊＊＊構成の説明＊＊＊
＜＜＜照明器具１００の構成＞＞＞
【００１０】
図１、図７に示すように、照明器具１００は、アーム２０と、電源ユニット３０と、天板４０と、支柱枠組５０と、光源ユニット８０と、カバー９０とを有する。
アーム２０は、照明器具１００を、天井又は梁に取り付けるものである。
図１、図２に示すように、アーム２０の両端部は、照明器具１００の両側面の中央に取り付けられている。
図３、図６に示すとおり、アーム２０は、コ字状又はＵ字形状をしている。アーム２０の両端部には、上下に弧状穴２４と軸穴２８がある。
電源ユニット３０は、光源ユニット８０に電力を供給する電源回路を有している。
電源ユニット３０は、六面体の箱状の金属製筐体を有する。
天板４０は、上面中央に電源ユニット３０を載せて電源ユニット３０を固定している。
天板４０は、支柱枠組５０の上面に固定され、光源ユニット８０を覆っている。
天板４０は、金属製である。
天板４０は、板部４２とスカート部４４とを有している。
板部４２は、上面中央に電源ユニット３０を載せて電源ユニット３０を固定している。
板部４２は、矩形の薄い平板である。
板部４２は、中央付近に電源ユニット３０を固定する４個のネジ穴を有する。
板部４２は、左右方向の中央で前後方向の端縁部に中間支柱６１を固定するネジ穴を有する。
スカート部４４は、板部４２の外周の端部からスカート状に垂れた板である。
スカート部４４は、天板４０の強度補強のために設けられている。
スカート部４４は、天板４０の角に沿って直角に曲げられ、天板４０の角の下方をカバーしている。
スカート部４４は、左右に１個ずつあり、平面形状が、コ字形をしている。
スカート部４４は、４個すべての主支柱の上端の外面を覆っている。
スカート部４４は、支柱板５６の上端を締結するネジ穴を有する。
支柱枠組５０は、光源ユニット８０を収納している。支柱枠組５０の上面は、天板４０で覆われている。支柱枠組５０の下面は、カバー９０で覆われている。
支柱枠組５０は、金属製である。
光源ユニット８０は、支柱枠組５０に固定され、電源ユニット３０から電力の供給を受け、光源を発光させる。
カバー９０は、支柱枠組５０に固定され、光源ユニット８０の前面を覆っている。
カバー９０は、プラスチック製又は樹脂製である。
【００１１】
図４、図５に示すように、照明器具１００の平面形状は、矩形あるいは長方形である。
天板４０と、支柱枠組５０と、光源ユニット８０と、カバー９０の平面形状はほぼ同じサイズの四角形状であり、照明器具１００の平面形状と同じ四角形状である。
【００１２】
＜＜＜支柱枠組５０の構成＞＞＞
図８に示すとおり、支柱枠組５０は、柱状の配置空間９２を形成している。
ここで、「配置空間」とは、一つの光源ユニット８０を配置する空間をいう。
図８では、配置空間９２は、四角柱である。
支柱枠組５０の配置空間９２の上部と下部とは解放されており、支柱枠組５０の上部には、上開口部９４が形成され、支柱枠組５０の下部には、下開口部９５が形成されている。
【００１３】
図８に示すとおり、支柱枠組５０は、以下の部品からなる。
１．４個の主支柱（２個の主支柱５１、２個の主支柱５２）
２．４個のガード（２個のガード７１、２個のガード７２）
３．２個の中間支柱６１
【００１４】
主支柱は、１枚の金属板を直角に折り曲げたものである。
主支柱は、四角柱の配置空間９２の４か所のコーナに設けられている。
主支柱は、上開口部９４から下開口部９５に渡って配置されている。
２個の主支柱５１は、配置空間９２の対角線上のコーナに設けられている。
２個の主支柱５２は、配置空間９２の別な対角線上のコーナに設けられている。
主支柱５１は、矩形の支柱板５５と支柱板５６を有している。
支柱板５５と支柱板５６とは、上開口部９４から下開口部９５に渡って配置された長板であり、支柱板５５の面と支柱板５６の面とは直交している。
主支柱の高さが、支柱枠組５０の高さ、すなわち、配置空間９２の高さとなる。
主支柱５１の支柱板５５は、下端に配置空間９２の内側に向かって突出した主取付部５７を有する。主取付部５７の中央には、ネジ穴５９がある。
主支柱５１の支柱板５６は、上端にネジ挿入部６０を有する。ネジ挿入部６０はネジ穴である。
支柱板５５と支柱板５６とは、上下に配置された３個のネジ穴５８を有する。
【００１５】
主支柱５２の構成は、主支柱５１の構成と、支柱板５５と支柱板５６の位置が逆になる点を除き同じである。すなわち、図８の支柱枠組５０の中央から見て、主支柱５１は支柱板５５の左サイドに支柱板５６があり、主支柱５２は支柱板５５の右サイドに支柱板５６がある。
【００１６】
ガード７１とガード７２は、長さが異なる金属板である。
ガード７１とガード７２の長さの比は、２：３である。
ガード７１は、前後方向にある主支柱を連結している。
ガード７２は、左右方向にある主支柱を連結している。
【００１７】
ガード７１とガード７２は、両端部にネジ穴がある。
ガードのネジ穴と支柱板のネジ穴とをネジでネジ止めする。
図８においては、支柱板の上下方向にある３個のネジ穴５８のうち、中央のネジ穴５８にガードをネジ止めしている。したがって、ガード７１とガード７２は、配置空間９２の上下方向の中央を横切って配置されている。
ガード７１とガード７２は、中央にガード穴７５を有している。
【００１８】
中間支柱６１は、２本の主支柱の間に、２本の主支柱と平行に取り付けられている。
中間支柱６１の高さは、主支柱の高さと同じである。
中間支柱６１は、金属製である。
中間支柱６１は、矩形の平板６２を有している
中間支柱６１の平板６２は、下端に配置空間９２の内側に向かって突出した中間取付部６３を有する。中間取付部６３には、左右２個のネジ穴６８がある。
中間支柱６１の平板６２は、上端に配置空間９２の内側に向かって突出した天取付部６５を有する。天取付部６５には、左右２個のネジ穴がある。
中間支柱６１は、上下方向に２個の平板穴を有する。すなわち、平板６２の中央に、平板穴６７を有し、平板穴６７の上に平板穴６６を有する。平板穴６７の位置は、ガード７２のガード穴７５の位置と一致している。
中間支柱６１の平板６２は、左右の長辺に沿って、配置空間９２の内側に向かって突出した補強部６４を有する。補強部６４は、ガード７２と重なる部分を除き、合計４か所に形成されている。
【００１９】
上開口部９４の外郭面積と、下開口部９５の外郭面積は、同じである。
中間支柱６１を取り付けていない支柱枠組５０の場合、上開口部９４には２個の天取付部６５があるので、上開口部９４の開口面積は、２個の天取付部６５の面積を除いた面積となる。
下開口部９５には４個の主取付部５７と２個の中間取付部６３があるので、下開口部９５の開口面積は、４個の主取付部５７と２個の中間取付部６３の面積を除いた面積となる。
その結果、上開口部９４の開口面積は、下開口部９５の開口面積より大きい。
中間支柱６１を取り付けていない支柱枠組５０の場合、上開口部９４には２個の天取付部６５がなく、下開口部９５には４個の主取付部５７があるので、上開口部９４の開口面積は、下開口部９５の開口面積より大きい。
【００２０】
＜＜＜支柱枠組５０の主支柱と中間支柱とのネジ穴の位置＞＞＞
図４は、照明器具１００の底面図である。
４個の主支柱の主取付部５７は、ネジ穴５９を介して、カバー９０のコーナにネジ止めされている。
中間支柱６１は、照明器具１００の左右方向の中央に取り付けられている。
中間支柱６１の中間取付部６３は、２個のネジ穴６８を介して、カバー９０の中央部分にネジ止めされている。
左右方向において、支柱枠組５０の端部とネジ穴５９との距離Ｗ１０は、支柱枠組５０の左右２等分線とネジ穴６８との距離Ｗ９と等しい。
【００２１】
＜＜＜光源ユニット８０の構成＞＞＞
図８に示すように、光源ユニット８０は、ヒートシンク８２とＬＥＤ基板８６とを有している。
ＬＥＤ基板８６の上面全体は、ヒートシンク８２の下面全体に、面接触している。
ＬＥＤ基板８６は、左右方向に３個のＬＥＤ８１を配置し、前後方向に２個のＬＥＤ８１を配置し、合計６個のＬＥＤ８１を配列している。
以下、Ｍ個のＬＥＤ８１を行に配置し、Ｎ個のＬＥＤ８１を列に配置した光源ユニット８０を、Ｍ×Ｎの光源ユニット８０と呼ぶことにする。
【００２２】
図６に示すように、カバー９０はＬＥＤ８１に対応するようにＭ×Ｎ個の反射鏡８７を有している。なお、反射鏡８７の開口部（頂部側または底部側）は透明または透光性の樹脂部品で蓋をするあるいは光学レンズを挿入するようにするとカバー９０内にほこりなどが入り込まないようにすることができる。また光学部品により光学特性を変えることができる。
図６に示すように、ＬＥＤ８１には、反射鏡８７が取り付けられる。図７では、反射鏡８７を図示していないが、各ＬＥＤ８１に対応して、反射鏡８７がカバー９０に取り付けられる。
【００２３】
＜＜＜ヒートシンク８２の構成＞＞＞
図９に示すように、ヒートシンク８２は、矩形状の放熱板８３と、複数の放熱フィン８４とを有する。ヒートシンク８２は、金属製である。
放熱フィン８４は、放熱板８３から立設されている。
放熱フィン８４は、高さＨ１、幅Ｈ２の矩形平板である。
放熱フィン８４は、前後方向に並列に等間隔で配列されている。
左右方向に隣り合う放熱フィン８４は、長さＷ２のフィン隙間８５を間にして配置されている。
放熱フィン８４の高さＨ１と幅Ｈ２との比は、１：１である。
フィン隙間８５の長さＷ２と放熱フィン８４の幅Ｈ２との比は、１：５である。
【００２４】
放熱フィン８４は、少なくともＬＥＤ８１の直上に配置されている。
フィン隙間８５は、ＬＥＤ８１が配置されていない場所に形成されている。
フィン隙間８５は、光源ユニット８０の左右方向に配置された３個のＬＥＤ８１の間にあり、光源ユニット８０の前後方向に渡って溝状に形成されている。
フィン隙間８５は、２行３列のＬＥＤが配列されている２×３の光源ユニット８０に対して、３列のＬＥＤの間に２個だけ形成される。
すなわち、フィン隙間８５は、Ｍ行Ｎ列のＬＥＤが配列されているＭ×Ｎの光源ユニット８０に対し、Ｍ＜Ｎの場合に、Ｎ列のＬＥＤの間にＮ−１個だけ形成される。
以上のように、ヒートシンク８２はＬＥＤ８１の配置に合わせて放熱フィン８４を配置している。
【００２５】
＊＊＊放熱構造の説明＊＊＊
図２を用いて、放熱構造について説明する。
図２に示す記号の意味は以下のとおりである。
Ｗ１：放熱空間９６の上下方向の長さ
Ｗ２：フィン隙間８５の左右方向の長さ
Ｗ３：上通気窓９８の上下方向の長さ
Ｗ４：下通気窓９９の上下方向の長さ
Ｗ５：中間支柱６１の幅
Ｗ６：ガード７２の上下方向の長さ
Ｗ７：主支柱５１と主支柱５２との支柱板５５と支柱板５６との左右方向の幅
Ｗ８：上通気窓９８と下通気窓９９の左右方向の長さ
【００２６】
ヒートシンク８２は、放熱空間９６を介して天板４０に覆われている。
支柱枠組５０は、ヒートシンク８２と天板４０との間に長さＷ１の放熱空間９６を形成して、光源ユニット８０と天板４０とを固定している。すなわち、放熱フィン８４の上端と天板４０の下面との間には、長さＷ１の放熱空間９６が存在する。
長さＷ１は、放熱フィン８４の高さＨ１の０．５倍以上あることが好ましい。
あるいは、長さＷ１は、４０ｍｍ以上であることが好ましい。
【００２７】
図２に示すとおり、ガード７２は、主支柱の上下方向の中央部分を連結しており、ガード７２の上下の長さは、長さＷ６である。
照明器具１００は、ガード７２から主支柱の上端まで長さＷ３の上通気窓９８を有する。
照明器具１００は、ガード７２から主支柱の下端まで長さＷ４の下通気窓９９を有する。
上通気窓９８と下通気窓９９との左右方向の長さは、長さＷ８である。
上通気窓９８は、ガード７２の上端と支柱枠組５０の上面との間にあり、上通気窓９８の長さＷ３は、放熱空間９６の長さＷ１以上の長さである。
下通気窓９９は、ガード７２の下端と支柱枠組５０の下面との間にあり、上通気窓９８の長さＷ３と、下通気窓９９の長さＷ４とは、同じ又は同等の長さである。
上通気窓９８と下通気窓９９との左右方向の幅Ｗ８は、主支柱と中間支柱との間の距離である。
上通気窓９８と下通気窓９９との左右方向の幅Ｗ８は、支柱枠組５０の長辺の長さから、中間支柱６１の幅Ｗ５と、主支柱５１の支柱板５５の幅Ｗ７と、主支柱５２の支柱板５５の幅Ｗ７とを減じた長さの半分である。
図３のとおり、上通気窓９８と下通気窓９９との前後方向の幅は、支柱枠組５０の短辺の長さから、主支柱５１の支柱板５６の幅Ｗ７と、主支柱５２の支柱板５６の幅Ｗ７とを減じた長さである。
以上の構造により、放熱空間９６の前後左右は、６か所の上通気窓９８により外部空間と連通している。また、ヒートシンク８２の前後左右は、６か所の下通気窓９９により外部空間と連通している。
【００２８】
放熱フィン８４と放熱フィン８４の間には、長さＷ２のフィン隙間８５が存在する。
フィン隙間８５の長さＷ２は、放熱フィン８４の幅Ｈ２の０．２倍以上あることが好ましい。あるいは、長さＷ２は、１０ｍｍ以上であることが好ましい。
図２に示すとおり、中間支柱６１の幅Ｗ５は、放熱フィン８４の幅Ｈ２よりも小さい。
フィン隙間８５は、支柱枠組５０の側面視で、中間支柱６１と重ならない位置に形成されている。
フィン隙間８５は、支柱枠組５０の側面視で、下通気窓９９に露出されている位置に形成されている。
【００２９】
図２において、中間支柱６１の幅Ｗ５は、支柱板５５の左右方向の長さの０．１７倍又は０．２倍以下である。
図２において、ガード７２の幅Ｗ６は、支柱板５５の上下方向の長さの０．１８倍又は０．２倍以下である。
図２において、主支柱５１と主支柱５２の幅Ｗ７は、支柱板５５の左右方向の長さの０．０９倍又は０．１倍以下である。
図２に示す上通気窓９８と下通気窓９９との合計面積に対する支柱枠組５０の正面面積の通気面積比は、５０％又は５０％以上である。
通気面積比は、４０％以上８０％以下であればよく、放熱効果を高めるためには、通気面積比は、６０％以上であることが望ましい。
【００３０】
図３において、ガード７２の幅Ｗ６は、支柱板５５の上下方向の長さの０．１８倍又は０．２倍以下である。
図３において、主支柱５１と主支柱５２の幅Ｗ７は、支柱板５５の前後方向の長さの０．１４倍又は０．１５倍以下である。
図３に示す上通気窓９８と下通気窓９９との合計面積に対する支柱枠組５０の側面面積の通気面積比は、５０％又は５０％以上である。
通気面積比は、４０％以上８０％以下であればよく、放熱効果を高めるためには、通気面積比は、６０％以上であることが望ましい。
【００３１】
＊＊＊放熱動作の説明＊＊＊
ヒートシンク８２で発生した暖気は天板４０に向かって上昇する。
ヒートシンク８２の全面上空には放熱空間９６があり、暖気は放熱空間９６に向かって上昇する。
図２、図３に示すとおり、放熱空間９６の周囲には上通気窓９８があり、上通気窓９８から外に流出する。
上通気窓９８は前後左右方向にあるため、３６０度のいずれの方向対しても暖気を逃がすことができる。また、いずれの方向からの風でも通過させることができる。
【００３２】
また、図９に示すとおり、フィン隙間８５があるので、フィン隙間８５にある暖気は前後方向に流れ出る。
図２に示す通り、フィン隙間８５は、下通気窓９９に露出しており、フィン隙間８５の暖気は、下通気窓９９から外部に排出される。
【００３３】
＊＊＊支柱枠組５０の製造方法の説明＊＊＊
１．主支柱の製造
配置空間９２のコーナに配置される４個の主支柱を製造する。
すなわち、主支柱５１、主支柱５２を製造する。
２．ガードの製造
長さの異なる複数種類のガードを製造する。
ここでは、長さの比が２：３のガード７１とガード７２とを製造する。
３．中間支柱６１の製造
中間支柱６１を製造する。
４．ガードの選択
ガード７１とガード７２の２種類のガードから配置空間９２のサイズすなわち光源ユニットのサイズに合致する長さのガードを選択する。ここでの選択肢は、以下のいずれかである。
（１）４個のガード７１
（２）２個のガード７１と２本のガード７２
（１）４個のガード７２
図１から図８に示す光源ユニット８０は、２×３の光源ユニット８０である。したがって、ここでは、光源ユニット８０のサイズに合致する長さを有する２個のガード７１と２個のガード７２を選択する。
すなわち、光源ユニット８０の短辺の長さと同じ長さのガード７１を２個選択し、光源ユニット８０の長辺の長さと同じ長さのガード７２を２個選択する。
５．組立
次に、主支柱と選択したガードとを締結部品で締結して光源ユニット８０のサイズに合致するサイズの配置空間を有する支柱枠組５０を組み立てる。
具体的には、以下の作業をする。
左側面の主支柱５１の支柱板５６と、主支柱５２の支柱板５６と、ガード７１とを組み合わせてネジ止めする。
右側面の主支柱５１の支柱板５６と、主支柱５２の支柱板５６と、ガード７１とを組み合わせてネジ止めする。
正面の主支柱５１の支柱板５５と、主支柱５２の支柱板５５と、ガード７２とを組み合わせてネジ止めする。
後面の主支柱５１の支柱板５５と、主支柱５２の支柱板５５と、ガード７２とを組み合わせてネジ止めする。
この時点で、中間支柱６１を除いた支柱枠組５０が組み立てられたことになる。
【００３４】
ここで、「組み合わせ」又は「組み立て」とは、複数の個別の部品を合わせてまとまったものに作り上げることをいう。
また、「組み合わせ」又は「組み立て」とは、２つ以上の部品を締結手段で一緒に組み付けることをいう。
締結手段の好適な具体例は、締結部品、溶接、かしめ、半田付け、又は、はめ込みである。
締結部品の好適な具体例は、ネジ、ボルトナット、リベット、クリップ、又は、接着剤である。
ここでの、「組み合わせ」又は「組み立て」とは、主支柱とガードとの２種類の部品を組み合わせた支柱枠組５０という集合部品を作り上げることをいう。
さらに、中間支柱も合わせれば、「組み合わせ」又は「組み立て」とは、主支柱とガードと中間支柱との３種類の部品を組み合わせた支柱枠組５０という集合部品を作り上げることをいう。
【００３５】
締結部品として、ネジ、又は、ボルトナットを用いる場合は、ガードと主支柱と中間支柱とを着脱可能に取り付けることができる。
ここで、「着脱可能」とは、複数の部品を人間の指の力で着脱できる場合をいう。又は、複数の部品を手工具又は電動工具で着脱できる場合をいう。
溶接、かしめ、半田付け、又は、接着は、「着脱可能」とは言わない。
【００３６】
＊＊＊照明器具１００の製造方法の説明＊＊＊
以下の手順で照明器具１００を製造する。
ヒートシンク８２にＬＥＤ基板８６を取り付ける。
光源ユニット８０にカバー９０を取り付け、光源ユニット８０とカバー９０を一体化した後、中間支柱６１が未装着の支柱枠組５０に光源ユニット８０とカバー９０を挿入する。
あるいは、光源ユニット８０とカバー９０を一体化せず、まず、カバー９０を中間支柱６１が未装着の支柱枠組５０に挿入し、次に、光源ユニット８０を支柱枠組５０に挿入してもよい。
【００３７】
上開口部９４は、光源ユニット８０及びカバー９０と同じサイズ又は光源ユニット８０及びカバー９０のサイズよりわずかに大きいサイズである。したがって、光源ユニット８０及びカバー９０を上開口部９４から下開口部９５に向けて真下に挿入することができる。すなわち、光源ユニット８０及びカバー９０を上から下に落とし込むだけでよい。
光源ユニット８０及びカバー９０のコーナが４個の主支柱の内面に当たりながらスライドして上から下に落とし込まれるので、光源ユニット８０及びカバー９０は、前後左右の位置決めがされた状態で支柱枠組５０に落とし込まれる。
【００３８】
下開口部９５には、主取付部５７が内側に突出しており、下開口部９５は、主取付部５７が存在する部分で、光源ユニット８０及びカバー９０のサイズより小さいサイズとなっている。すなわち、光源ユニット８０及びカバー９０が上から下に落とし込まれると、光源ユニット８０及びカバー９０のコーナが主取付部５７に当たり、光源ユニット８０及びカバー９０のコーナが主取付部５７の上に載った状態で、スライドが終了する。
【００３９】
次に、主取付部５７のネジ穴５９からネジをねじ込み、光源ユニット８０及びカバー９０を主取付部５７に固定する。
光源ユニット８０及びカバー９０を、図７に示す上向きネジ８個のうちの外側の４個のネジ１０１で支柱枠組５０に固定する。
主取付部５７から挿入されたネジは、ＬＥＤ基板８６とカバー９０とのネジ穴を通り、ヒートシンク８２の放熱板８３のネジ穴にねじ込まれる。
ＬＥＤ基板８６とカバー９０とは、主取付部５７と放熱板８３との間で挟持されることになる。
その結果、光源ユニット８０及びカバー９０は、支柱枠組５０の下部に固定される。
【００４０】
その後、以下の順で、照明器具１００が製造される。
天板４０に電源ユニット３０を取り付ける。
天板４０を、支柱枠組５０に取り付ける。天板４０は、４個の主支柱のネジ挿入部６０にネジ止めされる。
天板４０のスカート部４４を、図７に示す横向きの４個のネジ１０２で支柱枠組５０に固定する。照明器具１００の正面と後面はアーム２０が回転するので、スカート部４４によるネジ止めは、両側面だけであり、正面と後面のネジ止めはない。
光源ユニット８０及びカバー９０を支柱枠組５０に固定することで、４個の主支柱の下端の位置が固定され、さらに、天板４０を支柱枠組５０に固定した時点で、４個の主支柱の下端の位置が固定される。こうして、４個の主支柱は平行に固定され、支柱枠組５０は、形状が確定される。
特に、支柱枠組５０の主取付部５７が、照明器具１００の部品の中で最も厚みのある放熱板８３に固定されることにより、支柱枠組５０の形状は確実に維持される。
【００４１】
次に、中間支柱６１を、前後方向から支柱枠組５０の中心方向に向けてはめ込むように取り付ける。
天取付部６５の上面を板部４２の下面に当てて、天取付部６５のネジ穴から、図７に示す下向きの２個のネジ１０３をねじ込むことにより、中間支柱６１は天板４０にネジ止めされる。
また、中間取付部６３の上面をカバー９０の下面に当てて、中間取付部６３のネジ穴６８から、図７に示す上向きネジ８個のうちの中央４個のネジ１０４をねじ込ことにより、中間支柱６１は、光源ユニット８０及びカバー９０にネジ止めされる。中間取付部６３から挿入されたネジ１０４は、カバー９０とＬＥＤ基板８６とのネジ穴を通り、ヒートシンク８２の放熱板８３のネジ穴へねじ込まれる。
ＬＥＤ基板８６とカバー９０とは、中間取付部６３と放熱板８３との間で挟持されることになる。
中間支柱６１は、天板４０のスカート部４４が存在しない部分に取り付けられるので、光源ユニット８０及びカバー９０及び天板４０の前後方向の長さが同じになり、２つの中間支柱６１は、正確に平行に取り付けられることになる。
また、ガード７２に対して支柱板と中間支柱とが外側に取り付けられ、支柱板と中間支柱の板厚が同じなので、主支柱と中間支柱との外側表面は、同一面に存在する。
【００４２】
最後に、アーム２０を支柱枠組５０に取り付ける。
アーム２０は、支柱枠組５０の正面と後面に取り付ける。
具体的には、中間支柱６１の平板穴６６にアーム２０の突起軸２２を嵌めこむ。突起軸２２の好適な例はボルトナットである。
さらに、中間支柱６１の平板穴６７とガード７２のガード穴７５とアーム２０の弧状穴２４とにボルトナット２６あるいは貫通ネジを貫通させて、アーム２０を中間支柱６１とガード７２とに取り付ける。
アーム２０は、突起軸２２を中心にして弧状穴２４の範囲で回転可能となる。
以上のように、支柱枠組５０と照明器具１００の組立には、ネジ止めを用いるが、ネジ止めにおいて、ネジ止めする２個の部品の板厚が異なる場合、ネジを、まず板厚の薄い部品を通し、次に板厚の厚い部品にネジこむようにすることが好ましい。
部品の板厚が異なる場合の具体例は以下のとおりである。
Ａ．放熱板の板厚＞主支柱の板厚
Ｂ．放熱板の板厚＞中間支柱の板厚
Ｃ．主支柱の板厚＞天板の板厚
Ｄ．中間支柱の板厚＞天板の板厚
Ｅ．ガードの板厚＞主支柱の板厚
Ｆ．ガードの板厚＞中間支柱の板厚
【００４３】
＊＊＊実施の形態の効果の説明＊＊＊
本実施の形態によれば、主支柱、中間支柱、及び、ガードの各部品をばらばらに製造して組み合わせることにより、複数種類のサイズの支柱枠組を製造することができる。このため、各部品の材料の歩留りを抑止でき、筐体寸法違いでも部品共有化ができ、さらに、照明器具の組立が容易であり、加工費を抑制することができる。
【００４４】
本実施の形態によれば、ＬＥＤ８１の配置に合わせて放熱フィン８４を配置しているので、放熱効果が高まる。
また、放熱空間９６が、放熱フィン８４の上部から天板４０の下面まで存在するので、天板４０による熱のこもりや温度上昇を無くすことができる。
また、放熱空間９６を４０ｍｍ以上とすることで、天板４０がない状態とほぼ同等の状態を提供することができる。
また、上通気窓９８が放熱空間９６の周囲に存在しているので、放熱空間９６の熱気を外部に排出することができる。
【００４５】
また、フィン隙間８５があるので、左右方向に隣り合う放熱フィン８４の間にある熱気を外部に排出することができる。フィン隙間８５がない場合は、放熱フィン８４が左右方向に繋がった１枚の放熱フィンになり、空気流路が塞がった状態となるため放熱効率が悪化する。
フィン隙間８５があるので、放熱フィン８４の面と直交する方向に熱気を排出することができ、前後左右の四面から空気の流路を確保できるため、温度上昇を減少させることができる。
また、アーム２０が取り付けられた長辺側の側面にフィン隙間８５があるので、短辺側の側面にフィン隙間８５がある場合に比べて、フィン隙間８５の数を多くすることができる。
結果として、ＬＥＤの放熱を自然空冷で行うことができる。
【００４６】
本実施の形態によれば、主取付部５７があるので、支柱枠組５０に対して光源ユニット８０及びカバー９０を落とし込むことができ、製造が容易になる。
また、４個の主支柱がコーナにあり、４個の主支柱が光源ユニット８０及びカバー９０を囲い込むので、光源ユニット８０及びカバー９０を落とし込むだけで、光源ユニット８０及びカバー９０の位置決めができる。
また、主取付部５７があるので、部品の落下を防止することができる。
また、主取付部５７を介してカバー９０をネジ止めしているので、ネジからカバー９０へのねじ締め応力を、主取付部５７の面で受けることができる。その結果、ねじ締め応力を主取付部５７の面全体に分散でき、プラスチック製のカバー９０の割れを防ぐことができる。
主取付部５７を介することなくカバー９０をネジ止めした場合、カバー９０のネジの頭部が当たった小さい面積の部分にねじ締め応力が集中するので、カバー９０の割れが生じやすくなる。
同様に、中間取付部６３を介してカバー９０をネジ止めしているので、プラスチック製のカバー９０の割れを防ぐことができる。
また、中間支柱６１がカバー９０の長辺の中央に固定されているので、プラスチック製
のカバー９０の変形及びゆがみを防ぐことができる。
本実施の形態によれば、支柱枠組５０の上部を金属製の天板４０で固定し、支柱枠組５０の下部を金属製の放熱板８３で固定しているので、主支柱とガードという骨枠だけの支柱枠組５０を用いたとしても、堅固な照明器具１００を提供することができる。
【００４７】
＊＊＊他の構成＊＊＊
【００４８】
支柱枠組５０を組み立てる際に、中間支柱６１を支柱枠組５０に先に取り付けてもよい。具体的には、アーム２０の邪魔にならないように、図示していない機構により、中間支柱６１をガード７２にネジ止めすればよい。
支柱枠組５０を組み立てる際に中間支柱６１をガード７２にネジ止めした場合は、上開口部９４には天取付部６５が内側に前後２か所で突出することになる。
天取付部６５が光源ユニット８０及びカバー９０の挿入を邪魔する場合には、光源ユニット８０及びカバー９０の外周部が上開口部９４の天取付部６５に当たらないように、光源ユニット８０及びカバー９０を斜めにして上開口部９４に挿入すればよい。光源ユニット８０及びカバー９０が上開口部９４の天取付部６５を通過した後、光源ユニット８０及びカバー９０を水平にして光源ユニット８０及びカバー９０を上から下に落とし込むことができる。
【００４９】
中間支柱６１には、天取付部６５がなくてもよい。天取付部６５がない場合は、中間支柱６１を支柱枠組５０に先に取り付けても、光源ユニット８０及びカバー９０を水平にしたまま支柱枠組５０に落とし込むことができる。
【００５０】
中間支柱６１には、中間取付部６３がなくてもよい。中間取付部６３がない場合は、光源ユニット８０及びカバー９０は、主支柱のみに固定される。
【００５１】
ガードは、上下方向に１個だけでなく、複数のガードを設けてもよい。具体的には、支柱板５５と支柱板５６には、ネジ穴５８が上下方向に３個あるので、ガードを上下方向に最大３個まで設けることができ、最大２個の追加のガードを設けることができる。追加のガードは、板状である必要はなく、通気性を保つ好適な例として、棒状ガード、網ガード、又は、メッシュガードがある。
【００５２】
ガードは、上下方向の中央に設けなくてもよい。支柱板５５と支柱板５６には、ネジ穴５８が上下方向に３個あるので、上中下のいずれかの位置にガードが取り付けられればよい。
【００５３】
図３に示すガード７１は、なくてもよい。ガード７１がなければ、通気性が向上する。
【００５４】
中間支柱は、１個だけでなく、複数設けてもよい。中間支柱を複数設ければ、支柱枠組５０の強度が増加するとともに、ガードとしても機能する。
【００５５】
照明器具１００の天井への取付において、アーム２０を用いない場合は、アーム２０と中間支柱６１はなくてもよい。中間支柱６１がない場合、支柱枠組５０を主支柱とガードのみで製造することができる。
締結部品として、ネジの代わりに、ボルトナットを用いてもよい。又は、リベットを用いてもよい。
【００５６】
天板４０から通気をするために、天板４０を、網天板、又は、メッシュ天板としてもよい。
あるいは、放熱効果を高めるために、天板４０を使用せず、天板４０の代わりにガード
を用いてもよい。
具体的には、図５の上開口部９４の面全体を覆う天板４０の代わりに、図２のガード７１と同様なガードを上開口部９４に２個前後方向に平行に取付けて、これらの２個のガード７１に対して電源ユニット３０を固定すればよい。
あるいは、図２のガード７２と同様なガードを上開口部９４に２個左右方向に平行に取付けて、これらの２個のガード７２に対して電源ユニット３０を固定すればよい。
あるいは、図２のガード７１とガード７２と同様なガードを上開口部９４に２個ずつ井桁状に取付けて、これらのガードの交差部分に対して電源ユニット３０を固定すればよい。
【００５７】
主支柱の支柱板に通気スリットを設けて、支柱板の通気スリットから放熱させてもよい。
ガードに通気スリットを設けて、ガードの通気スリットから放熱させてもよい。
また本実施の形態では、反射鏡８７がカバー９０に一体成形されている場合について説明したが、反射鏡８７はカバー９０と別体であってもよいし、反射鏡８７をレンズなどの他の光学部品に置き換えてもよい。
【００５８】
実施の形態２．
この実施の形態では、前述した各実施の形態と異なる点について説明する。
＊＊＊構成の説明＊＊＊
この実施の形態では、配置空間９２が四角柱であり、ｎ種類の長さのガードを製造し、配置空間が以下のいずれかのサイズである支柱枠組を製造する場合を説明する。
１．ｎ種類のガードから２種類のガードを選択したサイズ。
２．ｎ種類のガードから１種類のガードを選択したサイズ。
好適な例として、長さの比が２：３：４の３種類の長さのガードにより、複数サイズの支柱枠組を製造する場合を説明する。
【００５９】
図１０、図１１、及び、図１２は、支柱枠組５０の平面形状が正四角柱の照明器具１００を示している。
光源ユニット８０は、ＬＥＤ８１は、２×２で配列された４個のＬＥＤ８１を有している。
照明器具１００は、同じ長さのガード７１を使用している。ガード７１にはガード穴７５があるため、ガード７１に対して、中間支柱６１とアーム２０とを取り付けることができる。
【００６０】
図１３、図１４は、支柱枠組５０が２個の柱状の配置空間９２を隣接させて合同空間９３を形成した照明器具１００を示している。
ここで、「合同空間」とは、複数の配置空間を合わせた空間をいう。配置空間は、１個の光源ユニット８０を配置する空間であるが、合同空間は、複数の光源ユニット８０を配置する空間である。
合同空間は、支柱枠組５０の全体内部空間であり、一方の配置空間９２の一つの側面と他方の配置空間９２の一つの側面とを同一面に配置したものである。この同一面を隣接境界という。また、一方の配置空間９２の一つの側面と他方の配置空間９２の一つの側面を隣接側面という。
照明器具１００は、２個の光源ユニット８０を有しており、各光源ユニット８０は、２×３の光源ユニット８０である。２個の配置空間９２のコーナには、４個の主支柱が配置されている。２個の配置空間９２の全てのコーナに主支柱があり、合同空間９３には８個の主支柱がある。
【００６１】
照明器具１００は、上開口部９４と同じサイズの天板４０を２個使用している。
電源ユニット３０は、１個の筺体で構成されている。
【００６２】
照明器具１００は、長さの異なるガード７２とガード７３とを使用している。
ガード７２とガード７３の長さの比は、３：４である。
ガード７２は、中央にガード穴７５を有しているが、ガード７３には、ガード穴７５がない。
２個の配置空間９２が隣り合った隣接側面にはガード７２はない。
したがって、図１３、図１４に示す支柱枠組５０は、実施の形態１に示した支柱枠組５０をガード７１の代わりにガード７３を用いて２個連結し、かつ、隣接側面のガード７２を省略したものである。
図１４の平面図と断面図に示すとおり、２個の配置空間９２が隣り合った隣接側面に、２個の中間支柱６１が取り付けられている。
隣接境界にある２個の中間支柱６１の中間取付部６３は、光源ユニット８０及びカバー９０にネジで固定されている。
隣接境界にある２個の中間支柱６１の天取付部６５は、天板４０の板部４２にネジで固定されている。
中間支柱６１は、外側への突出がないので隣接境界で背中合わせに隣接させることができる。また、隣接側面には、ガード７２がないのでガード７２を止めるネジもないし、スカート部４４のネジもないので、隙間なく隣接させることができる。
また、隣接側面にある２個の中間支柱６１の軸穴２８をボルトナット２６で固定すれば、２個の配置空間の連結が強化される。
２個の支柱枠組５０を締結するために、主支柱５１の支柱板５５と主支柱５２の支柱板５５とをネジ穴５８を介して締結部品で締結している。
合同空間９３の周囲にのみガードがあり、合同空間９３の周囲には、２個のガード７２と２個のガード７３とがある。
ガード７２もガード７３も、合同空間の同一側面に配置された複数の主支柱を連結している。
ガード７３は、両端にネジ穴を有し、中央にガード穴７５はなく、２個のネジ穴を有している。ガード７３は、４個の主支柱を連結しているので、主支柱の支柱板の外側に配置される。
ガード７２は、合同空間の短辺にある側面に配置された２個の主支柱を連結している。
中間支柱６１とアーム２０とは、ガード７２に取り付けられている。
ガード７３は、合同空間の長辺にある側面に配置された４個の主支柱を連結している。
ガード７２の両端は、主支柱の支柱板の内側に締結部品で固定されている。
ガード７３の両端は、主支柱の支柱板の外側に締結部品で固定されている。
ガード７３の中央は、ガード７３の中央にあるネジ穴により、隣り合って接触している２個の主支柱の支柱板の外側に締結部品で固定されている。
【００６３】
図１５、図１６は、支柱枠組５０が２個の柱状の配置空間９２を隣接させて合同空間９３を形成した照明器具１００を示している。
照明器具１００は、２個の光源ユニット８０を有しており、各光源ユニット８０は、２×２の光源ユニット８０である。２個の配置空間９２の全てのコーナに主支柱があるのではなく、２個の配置空間９２の隣り合う隣接側面にあるコーナには主支柱がない。合同空間９３の４か所のコーナのみに主支柱が配置されており、合同空間９３には４個の主支柱がある。
【００６４】
照明器具１００は、上開口部９４と同じサイズの天板４０を２個使用してもよいし、合同空間９３と同じサイズの天板４０を１個使用してもよい。
電源ユニット３０は、１個の筺体で構成されている。
【００６５】
照明器具１００は、長さの異なるガード７１とガード７４とを使用している。
ガード７１とガード７４の長さの比は、２：４である。
ガード７１とガード７４は、中央にガード穴７５を有している。
２個の配置空間９２が隣り合った隣接側面には主支柱はないので、隣接側面にはガード７１はない。
合同空間９３の周囲には、２個のガード７１と２個のガード７４とがある。
ガード７１もガード７４も、合同空間の同一側面に配置された複数の主支柱を連結している。
ガード７４は、両端にネジ穴を有し、中央に、ガード穴７５を有している。
ガード７１は、合同空間の短辺にある側面に配置された２個の主支柱を連結している。
ガード７４は、合同空間の長辺にある側面に配置された２個の主支柱を連結している。
ガード７１の両端は、主支柱の支柱板の内側に締結部品で固定されている。
ガード７４の両端は、主支柱の支柱板の内側に締結部品で固定されている。
ガード７４の中央は、ガード７３の中央にあるガード穴７５により、中間支柱６１とアーム２０を取り付けている。
中間支柱６１は、カバー９０の長辺の中央に固定されているので、プラスチック製のカバー９０の変形及びゆがみを防ぐことができる。
【００６６】
図４に示すとおり、Ｗ９＝Ｗ１０なので、図１５、図１６において、中間支柱６１の中間取付部６３の中間取付部６３のネジ穴６８の位置は、省略された主支柱の主取付部５７のネジ穴５９と同じ位置にある。
したがって、図１５、図１６において、中間支柱６１の中間取付部６３のネジ穴６８は、光源ユニット８０及びカバー９０のネジ穴の位置と一致しており、光源ユニット８０及びカバー９０は、中間支柱６１に、ネジで固定される。
このように、図１５、図１６に示す支柱枠組５０は、図１０、図１１、図１２に示した支柱枠組５０から２個の主支柱と１個のガード７１を省略し、２個のガード７１の代わりにガード７４を用いて２個連結したものである。
【００６７】
配置空間が四角柱であり、ガードの長さの比が２：３：４の３種類のガードがある場合、配置空間９２の水平断面の縦横比が以下のいずれかの縦横比となる支柱枠組を製造することができる。
（１）２：２（図１０）
（２）２：３（図１）
（３）２：４（図１５）
（４）３：３
（５）３：４（図１３）
（６）４：４
【００６８】
また、ガードの長さの比が２：３：４：６の４種類のガードがある場合、さらに以下の縦横比の支柱枠組を製造することができる。
（７）２：６
（８）３：６
（９）４：６
（１０）６：６
【００６９】
理論的には、ｎ種類のガードから２種類のガードを選択する組み合わせ（ｃｏｍｂｉｎａｔｉｏｎ）の総数と、ｎ種類のガードから１種類のガードを選択する組み合わせ（ｃｏｍｂｉｎａｔｉｏｎ）の総数とを加算した数だけ、異なるサイズの支柱枠組５０を組み立てることができる。
【００７０】
また、これらのサイズの支柱枠組５０に対しては、ＬＥＤが２×２、２×３、３×３、４×４で配列された４種類のサイズの光源ユニット８０を以下のように配置することができる。
（１）２：２に対して、１個の２×２（図１０）
（２）２：３に対して、１個の２×３（図１）
（３）２：４に対して、２個の２×２（図１５）
（４）３：３に対して、１個の３×３
（５）３：４に対して、２個の２×３（図１３）
（６）４：４に対して、４個の２×２、又は、１個の４×４
（７）２：６に対して、３個の２×２、又は、２個の２×３
（８）３：６に対して、３個の２×３、
（９）４：６に対して、６個の２×２、又は、４個の２×３
（１０）６：６に対して、９個の２×２、４個の３×３、５個の２×２と１個の４×４、又は、３個の２×２と１個の４×４と１個の２×３
【００７１】
＊＊＊実施の形態の効果＊＊＊
図１３、図１４のように、光源ユニット８０を連結して使用する場合、合わさる面から不要なガードを取り外すことにより、コストの抑制及び、器具軽量化を図ることができる。
図１３、図１４のように、光源ユニット８０を連結して使用する場合でも、配置空間９２の周囲には４個の主支柱があるので、前後左右の位置決めが確実にでき、さらに、主取付部５７により上下方向の位置決めが容易となり組立作業性が向上する。
【００７２】
図１５、図１６のように、光源ユニット８０を連結して使用する場合、合わさる面から不要な主支柱を取り外すことにより、コストの抑制及び、器具軽量化を図ることができる。
図１５、図１６のように、光源ユニット８０を連結して使用する場合、中央に主支柱がなく左右方向に余裕があるので、光源ユニット８０の支柱枠組５０への落とし込みが容易となり組立作業性が向上する。
また、中央に主支柱がなくても、中間支柱６１が天板４０と光源ユニット８０及びカバー９０の長辺を固定することができるので、強度が保てる。
【００７３】
＊＊＊他の構成＊＊＊
図１３において、２個の配置空間９２が隣り合った隣接側面にガード７２を設けてもよい。
具体的には、ガード７２を隣接側面にある主支柱５１の支柱板５５と主支柱５２の支柱板５５との間にはさみ、主支柱５１の支柱板５５とガード７２と主支柱５２の支柱板５５とをネジ穴５８を介してボルトナットで締結する。
あるいは、図８に示したとおり、１個のガード７２を片方の配置空間９２の主支柱の内側に配置して、ガード７２と主支柱５１の支柱板５５と主支柱５２の支柱板５５とをネジ穴５８を介して締結部品で締結する。
又は、２個のガード７２を両方の配置空間９２の主支柱の内側に配置して、ガード７２と主支柱５１の支柱板５５と主支柱５２の支柱板５５とガード７２とをネジ穴５８を介して締結部品で締結する。
【００７４】
ガード７３とガード７４とは構造が異なるが、ガード７３とガード７４との中央に、ガード穴７５と２個のネジ穴を形成して、ガード７３とガード７４とを同一部品にしてもよい。
実施の形態１に示したガード７１がある支柱枠組５０の構成をそのまま用いて、さらに、ガード７１の外側にガード７３を付加して、２個の支柱枠組５０を連結してもよい。
同様に、図１０、図１１、図１２に示したガード７１がある支柱枠組５０の構成をそのまま用いて、さらに、ガード７１の外側にガード７３を付加して、２個の支柱枠組５０を連結してもよい。
【００７５】
合同空間を形成する２個の配置空間の形状は異なっていてもよい。
具体的には、正四角柱の配置空間と長四角柱の配置空間、三角柱の配置空間と四角柱の配置空間との組み合わせが考えられる。
合同空間を形成する配置空間は２個ではなく３個以上でもよい。
合同空間の平面形状は、四角に限らない。ガードを直角に折り曲げてＬ字状のガードにすれば、十字型、Ｔ字型、Ｌ字型、Ｅ字型の合同空間を形成できる。
【００７６】
実施の形態３．
この実施の形態では、前述した各実施の形態と異なる点について説明する。
＊＊＊構成の説明＊＊＊
図１７は、主支柱とガードを組み合わせた支柱枠組５０の簡略平面図である。
（ａ）のように、支柱枠組５０の平面形状が六角形でもよい。
（ｂ）のように、支柱枠組５０の平面形状が八角形でもよい。
（ｃ）のように、支柱枠組５０の平面形状が長尺の六角形でもよい。
（ｄ）のように、支柱枠組５０の平面形状が台形形でもよい。
（ｅ）のように、支柱枠組５０の平面形状が円形でもよい。
（ｆ）のように、支柱枠組５０の平面形状が平行四辺形でもよい。
このように、支柱枠組５０の外形は、多角柱形状又は円柱形状でもよい。
図１７のように、主支柱の２枚の支柱板の交差角度を９０度以外にすることにより、四角柱以外の柱状の配置空間を提供することができる。
２枚の支柱板の交差角度が９０度超の主支柱のみを使用すれば、五角柱以上の支柱枠組５０を提供できる。
また、（ｄ）又は（ｆ）のように、２枚の支柱板の交差角度が９０度未満である主支柱と交差角度が９０度超である主支柱とを使用すれば、複雑な形状の支柱枠組５０を提供できる。
また、図示しないが、支柱枠組５０の外形は、角錐台形状又は円錐台形状でもよい。
【００７７】
図１８は、主支柱の他の例を示す斜視図である。
図１８の主支柱５３は、支柱板５５と支柱板５６とが、同じ構造を有している。
すなわち、支柱板５５と支柱板５６とは、以下を有している。
Ａ．ネジ穴５９のある主取付部５７
Ｂ．３個のネジ穴３８
Ｃ．ネジ挿入部６０
したがって、四角柱の複数の位置に同一形状の主支柱５３を配置することがきる。
主支柱５３は、四角柱のすべてのコーナに用いることができ、部品の共通化が図れる。
【符号の説明】
【００７８】
２０  アーム、２２  突起軸、２４  弧状穴、２６  ボルトナット、２８  軸穴、３０
電源ユニット、４０  天板、４２  板部、４４  スカート部、５０  支柱枠組、５１  主支柱、５２  主支柱、５３  主支柱、５５  支柱板、５６  支柱板、５７  主取付部、５８  ネジ穴、５９  ネジ穴、６０  ネジ挿入部、６１  中間支柱、６２  平板、６３  中間取付部、６４  補強部、６５  天取付部、６６  平板穴、６７  平板穴、６８  ネジ穴、７１  ガード、７２  ガード、７３  ガード、７４  ガード、７５  ガード穴、８０
光源ユニット、８１  ＬＥＤ、８２  ヒートシンク、８３  放熱板、８４  放熱フィン、８５  フィン隙間、８６  ＬＥＤ基板、８７  反射鏡、９０  カバー、９２  配置空間、９３  合同空間、９４  上開口部、９５  下開口部、９６  放熱空間、９８  上通気窓、９９  下通気窓、１００  照明器具、１０１  ネジ、１０２  ネジ、１０３  ネジ、１０４  ネジ。
【図１】
0006690906.tif 000002
【図２】
0006690906.tif 000003
【図３】
0006690906.tif 000004
【図４】
0006690906.tif 000005
【図５】
0006690906.tif 000006
【図６】
0006690906.tif 000007
【図７】
0006690906.tif 000008
【図８】
0006690906.tif 000009
【図９】
0006690906.tif 000010
【図１０】
0006690906.tif 000011
【図１１】
0006690906.tif 000012
【図１２】
0006690906.tif 000013
【図１３】
0006690906.tif 000014
【図１４】
0006690906.tif 000015
【図１５】
0006690906.tif 000016
【図１６】
0006690906.tif 000017
【図１７】
0006690906.tif 000018
【図１８】
0006690906.tif 000019